(57)【特許請求の範囲】
【請求項１】
回転防止アセンブリを有するスラムシャット安全装置であって、
弁体であって、入口および出口を有し、前記入口と前記出口との間に延在する流路を画定し、前記入口と前記出口との間に配設されたオリフィスを囲む弁座を備える弁体と、
前記弁体内に移動可能に取り付けられた弁ディスク支持体と、
前記弁ディスク支持体に取り付けられた弁ディスクであって、
前記弁ディスク支持体および前記弁ディスクは、前記弁体内に移動可能に配設され、前記弁ディスクが前記弁座から離間する開の第１位置と、前記弁ディスクが前記弁座に対して収容される閉の第２位置との間で連動して移動可能である、弁ディスクと、
前記弁ディスク支持体に動作可能に連結され、前記開の第１位置に前記弁ディスクを配置する未解除位置と、前記閉の第２位置に前記弁ディスクを配置する解除位置との間で前記弁体に対して移動可能であるリセットピンであって、前記リセットピンを前記未解除位置から前記解除位置に向かって移動させるようにアクチュエータに応答するように配された、リセットピンと
を備え、
前記弁ディスクおよび前記弁ディスク支持体は、接合部で接触し、前記接合部は、突起部および受容領域を備え、前記突起部および前記受容領域は、前記突起部が前記受容領域に隣接して収容された場合に、前記弁ディスクと前記弁ディスク支持体との間の回転を防ぐように協働する、
スラムシャット安全装置。
【請求項２】
前記弁体内に配設されたばねであって、前記弁ディスク支持体に動作可能に連結され、前記閉の第２位置に向かって前記弁ディスクを付勢するように配されたばねを備える、請求項１に記載のスラムシャット安全装置。
【請求項３】
前記突起部は、前記弁ディスクによって担持され、前記受容領域は、前記弁ディスク支持体によって担持される、請求項１または２に記載のスラムシャット安全装置。
【請求項４】
前記弁ディスクは、裏当て板に取り付けられ、前記突起部は、前記裏当て板から延在する一対のフィンを備え、前記受容領域は、前記弁ディスク支持体によって担持された一対の表面を備え、前記フィンの対は、前記表面の対に係合するようにサイズが設定されている、請求項１〜３のいずれか１項に記載のスラムシャット安全装置。
【請求項５】
前記弁ディスク支持体は、拡大部分を含み、前記表面は、前記拡大部分に形成される、請求項４に記載のスラムシャット安全装置。
【請求項６】
前記受容領域は、平面を備え、前記突起部は、平面を有する弧状のフィンを備え、前記弧状のフィンの前記平面は、前記受容領域の前記平面に係合するようにサイズが設定されている、請求項１〜５のいずれか１項に記載のスラムシャット安全装置。
【請求項７】
前記弁ディスク支持体は、拡大部分を含み、前記受容領域は、前記拡大部分に形成された一対の平面を備え、さらに、前記突起部は、前記平面に係合するようにサイズが設定された一対のフィンを備える、請求項１〜６のいずれか１項に記載のスラムシャット安全装置。
【請求項８】
スラムシャット安全装置であって、
弁体であって、入口および出口を有し、前記入口と前記出口との間に延在する流路を画定し、前記入口と前記出口との間に配設されたオリフィスを囲む弁座を備える弁体と、
前記弁体内に移動可能に取り付けられた弁ディスク支持体と、
前記弁ディスク支持体に取り付けられた弁ディスクであって、
前記弁ディスク支持体および前記弁ディスクは、前記弁体内に移動可能に配設され、前記弁ディスクが前記弁座から離間する開の第１位置と、前記弁ディスクが前記弁座に対して収容される閉の第２位置との間で移動可能である、弁ディスクと、
前記弁ディスク支持体に動作可能に連結され、前記開の第１位置に前記弁ディスクを配置する未解除位置と、前記閉の第２位置に前記弁ディスクを配置する解除位置との間で前記弁体に対して移動可能であるリセットピンであって、前記リセットピンを前記未解除位置から前記解除位置に向かって移動させるようにアクチュエータに応答するように配されたリセットピンと、
前記弁ディスクおよび前記弁ディスク支持体の協働部分によって担持された回転防止アセンブリであって、少なくとも１つの突起部と、前記突起部を受容するようにサイズが設定された少なくとも１つの受容領域とを備え、前記弁ディスク支持体に対して前記弁ディスクの回転を止めるように配された回転防止アセンブリと
を備える、スラムシャット安全装置。
【請求項９】
前記弁体内に配設されたばねであって、前記弁ディスク支持体に動作可能に連結され、前記閉の第２位置に向かって前記弁ディスクを付勢するように配されたばねを備える、請求項８に記載のスラムシャット安全装置。
【請求項１０】
前記弁ディスクは、裏当て板に取り付けられ、前記少なくとも１つの突起部は、前記裏当て板から延在する一対のフィンを備え、前記少なくとも１つの受容領域は、前記弁ディスク支持体によって担持された一対の表面を備え、前記フィンの対は、前記表面の対に係合するようにサイズが設定されている、請求項８または９に記載のスラムシャット安全装置。
【請求項１１】
前記弁ディスク支持体は、拡大部分を含み、前記表面は、前記拡大部分に形成される、請求項１０に記載のスラムシャット安全装置。
【請求項１２】
前記少なくとも１つの受容領域は、平面を備え、前記少なくとも１つの突起部は、平面を有する弧状のフィンを備え、前記弧状のフィンの前記平面は、前記受容領域の前記平面に係合するようにサイズが設定されている、請求項８〜１１のいずれか１項に記載のスラムシャット安全装置。
【請求項１３】
前記弁ディスク支持体は、拡大部分を含み、前記受容領域は、前記拡大部分に形成された一対の平面を備え、さらに、前記突起部は、前記弁ディスクによって担持され、前記平面に係合するようにサイズが設定された一対のフィンを備える、請求項８〜１２のいずれか１項に記載のスラムシャット安全装置。
【請求項１４】
スラムシャット安全装置内の弁ディスクの回転を止める方法であって、
入口および出口を有し、前記入口と前記出口との間に延在する流路を画定する弁体であって、前記入口と前記出口との間に配設されたオリフィスを囲む弁座を備える、弁体を提供することと、
前記弁体内に移動可能に取り付けられた弁ディスク支持体を提供することと、
前記弁ディスク支持体に弁ディスクを取り付けることと、
前記弁ディスク支持体および前記弁ディスクを前記弁体内に移動可能に配設して、前記弁ディスクが前記弁座から離間する開の第１位置と、前記弁ディスクが前記弁座に対して収容される閉の第２位置との間で前記弁ディスクの移動を可能にすることと、
リセットピンを前記弁ディスク支持体に動作可能に連結し、前記開の第１位置に前記弁ディスクを配置する未解除位置と、前記閉の第２位置に前記弁ディスクを配置する解除位置との間で前記弁体に対する移動のために前記リセットピンを配列することと、
前記リセットピンを前記未解除位置から前記解除位置に向かって移動させるようにアクチュエータに応答するように前記リセットピンを配列することと、
前記弁ディスクおよび前記弁ディスク支持体の協働部分によって担持された回転防止アセンブリを提供することと、
少なくとも１つの突起部と、前記突起部を受容するようにサイズが設定された少なくとも１つの受容領域とを有する前記回転防止アセンブリであって、前記弁ディスク支持体に対して前記弁ディスクの回転を止めるように配された前記回転防止アセンブリを提供することと
を含む、方法。
【請求項１５】
前記弁体内に配設されたばねを提供することと、前記閉の第２位置に向かって前記弁ディスクを付勢するように前記ばねを前記弁ディスク支持体に動作可能に連結することとを含む、請求項１４に記載の方法。
【請求項１６】
前記弁ディスクに裏当て板を提供することと、前記裏当て板から延在する一対のフィンを形成することと、前記弁ディスク支持体によって担持された一対の表面から前記少なくとも１つの受容領域を形成することと、前記表面の対に係合するように前記一対のフィンのサイズを設定することとを含む、請求項１４または１５に記載の方法。
【請求項１７】
拡大部分を有する前記弁ディスク支持体を提供することと、前記拡大部分に前記表面の対を形成することとを含む、請求項１６に記載の方法。
【請求項１８】
前記弁ディスク支持体における弧状の切り欠きから前記少なくとも１つの受容領域を形成することと、平面を有し、前記弁ディスクから延在する弧状のフィンとして前記少なくとも１つの突起部を形成することと、前記受容領域の前記平面に係合するように前記弧状のフィンの前記平面のサイズを設定することとを含む、請求項１４〜１７のいずれか１項に記載の方法。
【発明の詳細な説明】
【技術分野】
【０００１】
本発明は、ガス分配システムのためのスラムシャット安全装置に関し、より詳細には、弁ディスクを固定するために回転防止機能を備えたスラムシャット安全装置に関する。
【背景技術】
【０００２】
天然ガスを分配するために使用されるシステム等のガス分配システムは一般に、一連の導管に沿って、一連の弁を介して生産者から消費者にガスを輸送する。各ガス分配システムは、分配システム内のガスの圧力を制御する１つ以上の調整弁を含むことがある。通常、ガスは、システムを介して高圧で伝送される。しかしながら、ガスの圧力は、消費者への最終分配より前に減圧する必要がある。この減圧は、通常、局所網の減圧ステーションで達成される。
【０００３】
典型的に、この減圧ステーションは、１つ以上の圧力調整弁と、圧力調整弁が故障した場合に、ガスの流れを遮断するある種の安全装置とを含む。最も一般的には、スラムシャット安全弁は、過大圧力状態または過小圧力状態などの適切な状況で流れを遮断するために安全装置として使用される。例えば、参照により本明細書に援用される、米国特許第４，１３４，４２１号は、パイプライン内に過大圧力保護を提供するスラムシャット安全弁を開示している。スラムシャット安全弁の別の例は、米国特許第８，２２５，８１２号に開示され、当該文献も、参照により本明細書に援用される。スラムシャット安全弁は、圧力調整弁が故障した場合にスラムシャット弁が圧力調整弁に達するガスを防ぐように、圧力調整弁の概して上流のシステム内に配設され得る。
【０００４】
スラムシャット安全弁は、最大圧力許容範囲および最小圧力許容範囲のための圧力調整弁に隣接してガス圧を監視するように配置され得る。一例として、装置の下流の圧力が最大許容範囲または最小許容範囲のいずれかを超える場合、スラムシャット安全弁が閉じ、圧力調整弁へのガスの流れを遮断し、圧力調整弁の考えられ得る故障によるガスの制御されていない漏洩を防ぐ。
【０００５】
既知のスラムシャット安全弁は、弁座の近くに弁オリフィスを覆うようにサイズが設定された弁ディスクを有する。弁ディスクは、リセットピンに連結され、リセットピンは同様に、過大圧力または過小圧力状態を検知するアクチュエータに取り付けられる。リセットピンは典型的に、開位置または未解除位置にあり、これは、開位置で弁座から離れて弁ディスクを配置する。アクチュエータが適切な解放状態を検知する場合、アクチュエータは、リセットピンを解放し、弁ディスクは、弁座に対して閉位置に移動する。
【発明の概要】
【発明が解決しようとする課題】
【０００６】
従来のスラムシャット装置では、弁は典型的に、通常動作中に開位置にある。弁がこの開位置にある場合、弁ディスクは、この装置を通じて流体の流れに常にさらされる。弁ディスクがステムに取り付けられることにより、特定の流動状態では、弁ディスクに作用する力が弁ディスクを回転させる場合があり、これは最終的に、支持する弁ステムを早期に摩耗させる場合がある。
【課題を解決するための手段】
【０００７】
第１の例示的な態様によれば、スラムシャット安全装置は、入口および出口を有し、この入口と出口との間に延在する流路を画定する弁体を含むことができる。弁体は、入口と出口との間に配設されたオリフィスを囲む弁座を含み、弁ディスク支持体は、弁体内に移動可能に取り付けられ、弁ディスクは、弁ディスク支持体に取り付けられる。弁ディスク支持体および弁ディスクは、弁体内に移動可能に配設され、弁ディスクが弁座から離間する開の第１位置と、弁ディスクが弁座に対して収容される閉の第２位置との間で連動して移動可能である。リセットピンは、弁ディスク支持体に動作可能に連結され、開の第１位置に弁ディスクを配置する未解除位置と、閉の第２位置に弁ディスクを配置する解除位置との間で弁体に対して移動可能であり、リセットピンは、リセットピンを未解除位置から解除位置に向かって移動させるようにアクチュエータに応答するように配される。弁ディスクおよび弁ディスク支持体は、接合部で接触し、接合部は、突起部および受容領域を含み、突起部および受容領域は、突起部が受容領域に隣接して収容された場合に、弁ディスクと弁ディスク支持体との間の回転を防ぐように協働する。
【０００８】
第２の例示的な態様によれば、スラムシャット安全装置は、入口および出口を有し、この入口と出口との間に延在する流路を画定する弁体を含み、弁体は、入口と出口との間に配設されたオリフィスを囲む弁座を含む。弁ディスクは、弁体内に移動可能に取り付けられ、弁ディスクは、弁ディスク支持体に取り付けられる。弁ディスク支持体および弁ディスクは、弁体内に移動可能に配設され、弁ディスクが弁座から離間する開の第１位置と、弁ディスクが弁座に対して収容される閉の第２位置との間で移動可能である。リセットピンは、弁ディスク支持体に動作可能に連結され、開の第１位置に弁ディスクを配置する未解除位置と、閉の第２位置に弁ディスクを配置する解除位置との間で弁体に対して移動可能であり、リセットピンは、リセットピンを未解除位置から解除位置に向かって移動させるようにアクチュエータに応答するように配される。回転防止アセンブリは、弁ディスクおよび弁ディスク支持体の協働部分によって担持され、回転防止アセンブリは、少なくとも１つの突起部と、この突起部を受容するようにサイズが設定された少なくとも１つの受容領域とを備える。回転防止アセンブリは、弁ディスク支持体に対して弁ディスクの回転を止めるように配される。
【０００９】
第３の例示的な態様によれば、スラムシャット安全装置内の弁ディスクの回転を止める方法は、入口および出口を有し、この入口と出口との間に延在する流路を画定する弁体であって、入口と出口との間に配設されたオリフィスを囲む弁座を含む、弁体を提供する工程と、弁体内に移動可能に取り付けられた弁ディスク支持体を提供する工程と、弁ディスクを弁ディスク支持体に取り付ける工程とを含む。本方法は、弁ディスク支持体および弁ディスクを弁体内に移動可能に配設して、弁ディスクが弁座から離間する開の第１位置と、弁ディスクが弁座に対して収容される閉の第２位置との間で弁ディスクの移動を可能にする工程と、リセットピンを弁ディスク支持体に動作可能に連結し、開の第１位置に弁ディスクを配置する未解除位置と、閉の第２位置に弁ディスクを配置する解除位置との間で弁体に対する移動のためにリセットピンを配列する工程とを含む。本方法は、リセットピンを未解除位置から解除位置に向かって移動させるようにアクチュエータに応答するようにリセットピンを配列する工程と、弁ディスクおよび弁ディスク支持体の協働部分によって担持された回転防止アセンブリを提供する工程と、少なくとも１つの突起部と、この突起部を受容するようにサイズが設定された少なくとも１つの受容領域とを有する回転防止アセンブリであって、弁ディスク支持体に対して弁ディスクの回転を止めるように配された回転防止アセンブリを提供する工程とを含む。
【００１０】
さらに、前述の第１の態様、第２の態様、または第３の態様の１つ以上によれば、スラムシャット安全装置および／または方法は、以下の好ましい形態のうちのいずれか１つ以上をさらに含むことができる。
【００１１】
好ましい一形態では、装置は、弁体内に配設されたばねを含み、ばねは、弁ディスク支持体に動作可能に連結され、閉の第２位置に向かって弁ディスクを付勢するように配される。
【００１２】
別の好ましい形態では、突起部は、弁ディスクによって担持され、受容領域は、弁ディスク支持体によって担持される。
【００１３】
別の好ましい形態では、弁ディスクは、裏当て板に取り付けられ、突起部は、裏当て板から延在する一対のフィンを備え、受容領域は、弁ディスク支持体によって担持された一対の表面を備え、フィンの対は、表面の対に係合するようにサイズが設定されている。弁ディスク支持体は、拡大部分を含むことができ、この表面は、拡大部分に形成され得る。
【００１４】
さらなる好ましい形態では、受容領域は、平面を備え、突起部は、平面を有する弧状のフィンを備え、弧状のフィンの平面は、受容領域の平面に係合するようにサイズが設定されている。
【００１５】
さらに別の好ましい形態では、弁ディスク支持体は、拡大部分を含み、受容領域は、拡大部分に形成された一対の平面を備える。突起部は、平面に係合するようにサイズが設定された一対のフィンを備える。
【００１６】
別の好ましい形態では、少なくとも１つの受容領域は、平面を備え、少なくとも１つの突起部は、平面を有する弧状のフィンを備え、弧状のフィンの平面は、受容領域の平面に係合するようにサイズが設定される。
【００１７】
別の好ましい形態では、弁ディスク支持体は、拡大部分を含み、受容領域は、拡大部分に形成された一対の平面を備え、突起部は、弁ディスクによって担持され、平面に係合するようにサイズが設定された一対のフィンを備える。
【００１８】
好ましい方法の形態では、ばねが提供され、弁体内に配設され、ばねは、閉の第２位置に向かって弁ディスクを付勢するように弁ディスク支持体に動作可能に連結される。好ましい形態は、弁ディスクに裏当て板を提供する工程と、裏当て板から延在する一対のフィンを形成する工程と、弁ディスク支持体によって担持された一対の表面から少なくとも１つの受容領域を形成する工程と、表面の対に係合するようにフィンの対のサイズを設定する工程とを含むことができる。本方法は、拡大した円筒部分を有する弁ディスク支持体を提供する工程と、拡大部分に表面の対を形成する工程とを含むことができる。
【００１９】
別の好ましい方法では、この工程は、弁ディスク支持体における弧状の切り欠きから少なくとも１つの受容領域を形成する工程と、平面を有し、弁ディスクから延在する弧状のフィンとして少なくとも１つの突起部を形成する工程と、受容領域の平面に係合するように弧状のフィンの平面のサイズを設定する工程とを含むことができる。
【図面の簡単な説明】
【００２０】
【図１】従来の弁ディスクアセンブリを有する従来のスラムシャット安全モジュールの断面図であり、開位置の弁ディスクを示す。
【図２】図１の従来の弁ディスクアセンブリの拡大部分断面図であるが、閉位置の弁ディスクを示す。
【図３】本発明の開示される例の教示に従って組み立てられた弁ディスクアセンブリの拡大部分断面図であり、閉位置の弁ディスクを示す。
【図４】図３に示される弁ディスクアセンブリの部分の斜視における拡大部分図である。
【図５】図３および４の組み立てられた弁ディスクアセンブリの部分の斜視における部分図である。
【図６】ディスク支持体の斜視における拡大図である。
【図７】ディスク支持体の立面図である。
【図８】図７の線８−８におけるディスク支持体の端面図である。
【図９】弁ディスクの斜視図であり、弁ディスク裏当て板の裏面を示す。
【図１０】弁ディスクおよび裏当て板の立面図である。
【発明を実施するための形態】
【００２１】
以下の本文は、本発明の１つ以上の例示的な実施形態の詳細な説明を記載するが、本発明の法的範囲は、本特許の末尾に記載する特許請求の範囲の文言によって定義されることが理解されるべきである。したがって、以下の詳細な説明は、単に例示として解釈されるべきであり、すべての可能な実施形態を記載することは不可能だが、非実用的であるので、本発明のすべての可能な実施形態を記載しない。現在の技術または本特許の出願日の後に開発された技術のいずれかを用いて、多くの代替の実施形態が実装され得る。このような代替の実施形態も、本発明を定義する特許請求の範囲の範囲内に含まれることが考えられる。
【００２２】
次に図面を参照すると、図１、２は、既知のスラムシャット安全装置１０の一例を示す。スラムシャット安全装置１０は、主な調整器故障の場合に安全遮断能力を提供するためにガス分配システム内の主要な調整器（図示せず）に取り付けられ得る。スラムシャット安全装置１０は、弁部１１と、アクチュエータ１５とを含む。弁部１１は、流体入口１４と、流路１８を形成する流体通路によって接続された流体出口１６とを有する弁体１２を含む。弁座２０は、弁体１２内に配設され、流路１８の一部分を形成するフローオリフィス２１を画定する。弁部１１は、弁ディスクアセンブリ１７を含む。公知のように、弁ディスクアセンブリ１７は、弁ディスク２２を同様に担持する弁ディスク支持体１９を含む。したがって、スラムシャット装置１０が図１に示すように開くと、スラムシャット安全装置１０を流れる流体が、流体入口１４から、弁座２０（および弁座２０によって形成されたフローオリフィス２１）を含む流路１８を介して流体出口１６に流れる。
【００２３】
公知のように、弁ディスク２２は、過大圧力または過小圧力の状態が主要な調整器の下流で検知されると、スラムシャット安全装置１０を流れる流体の流れを制限するように弁座２０と協働する。弁ディスク２２は、流体オリフィス２１を閉じるために弁座２０に向かって弁体１２内で摺動し、弁ディスク２２は、流体オリフィス２１を開くために、例えば、後述のタイプのリセットピンを用いて弁座２０から引き離され得る。
【００２４】
典型的に、アクチュエータ１５は、制御ばね２８およびリリーフばね２９を囲む筐体２６を含む。制御ばね２８は、公知のようにダイヤフラム３０に動作可能に連結されるが、リリーフばね２９は、公知のようにリリーフ弁アセンブリ３１に動作可能に連結される。アクチュエータ１５は、上部チャンバ１５ａと、下部チャンバ１５ｂとを含み、下部チャンバ１５ｂは、下流圧力にさらされるように出口１６と流れ連通する。ダイヤフラム３０は、アクチュエータ１５の下部チャンバ１５a内で圧力変化に敏感であり、したがってダイヤフラム３０は、公知のように、例えば、検知管を介して検知された圧力変化に応答してアクチュエータ筐体２６内で移動する。ダイヤフラム３０は、裏板３２に接続されるか、または別の方法で適切に動作可能に連結され、これは、ダイヤフラム３０とともに筐体２６内で長手方向に（図１では垂直に）移動する。裏板３２は、リセットピン３６によって担持された接続リング３５に係合するか、またはそれを開くようにカム３４と相互作用する。リセットピン３６は、弁ディスク２２がフローオリフィス２１を開く第１位置すなわち開位置で弁座２０から離間する後退位置または未解除位置と、弁ディスク２２がフローオリフィス２１を閉じる第２位置すなわち閉位置で弁座２０に対して収容された解除位置との間で弁体１２に対して軸Ａに沿って移動可能である。図１では、リセットピン３６は、開位置にある弁ディスクに相当する未解除位置で示される。
【００２５】
スラムシャット部１３は、ばね３７または他の好適な付勢機構を含み、これは、閉位置に向かって弁ディスク２２を付勢するために、弁ディスク２２に直接的または間接的に係合する。図示される例では、過小圧力状況が下流で検知されるとき、アクチュエータ１５は下方に移動し、同様に裏板３２にカム３４を反時計回りに回転させ、それ故にリセットピン３６上の接続リング３５を解放する。したがって、ばね３７は、リセットピン３６を図１に示される未解除位置から図２の解除位置に移動させる。図においてリセットピン３６が左に移動すると、弁ディスク２２はまた、弁座２０に向かって摺動し、最終的に弁ディスク２２を弁座２０と接触させ、それ故にフローオリフィス２１を閉じ、流路１８を流れる流体の流れを遮断する。図２は、リセットピン３６がアクチュエータ１５によって解放された後の閉位置の弁ディスク２２の近接図を示す。弁ディスク２２は、弁座２０に対して収まり、それ故にスラムシャット安全装置１０を閉じ、流路１８に沿った流体の流れを防ぐ。
【００２６】
次に図面を参照すると、図３、４、５は、本発明の教示に従って組み立てられた回転防止弁ディスクアセンブリ４０を示す。本開示を読むことで、弁ディスクアセンブリ４０が上述のスラムシャット装置１０内に取り付けられ、それ故に上述の弁ディスクアセンブリ１９を置き換えることができることを当業者は理解するであろう。そうでなければ、スラムシャット安全装置１０は、同じまたは類似の構成要素を含むことができ、便宜上、これらの同じまたは類似の構成要素は、それらの同じ符号を保持する。したがって、スラムシャット安全装置１０は、入口１４および出口１６を有し、入口１６と出口１８との間に延在する流路１８を画定する弁体１２をさらに含む。さらに、弁体１２は、入口１４と出口１６との間に配設されたオリフィス２１を囲む弁座２０を含む。弁ディスクアセンブリ４０は、弁ディスク支持体４２を含み、弁ディスク４４は、弁ディスク支持体４２に取り付けられる。弁ディスク支持体４２は、弁体１２内で移動可能に取り付けられる。図示される例では、弁ディスク支持体４２は、ガイド４６内で摺動可能に取り付けられ、同様にガイド４６は、任意の好適な様式で弁体１２内に取り付けられる。したがって、弁ディスク４４は、周囲の弁体１２に対して移動可能である。図示される例では、弁ディスク支持体４２および弁ディスク４４は、弁体１２内で移動可能であり、弁ディスク４４が弁座２０から離間する開の第１位置と、弁ディスク４４が弁座２０に対して収容される閉の第２位置との間で連動してともに移動する。図３は、閉位置の弁ディスク４４を示すが、弁ディスク４４が開位置に（図３においては、軸Ａに沿って右に弁ディスク４４を移動させることによって）移動されるとき、弁ディスク４４は、先行技術に関する図１に示されるものと同様に弁座２０から離間することを当業者は理解するであろう。
【００２７】
リセットピン３６は、公知のように弁ディスク支持体４２に動作可能に連結され、好ましくは、開の第１位置に弁ディスクを配置する未解除位置（図１に示されるものと同様）と、閉の第２位置に弁ディスク４４を配置するような解除位置（図３に示す）との間で弁体１２に対して移動可能である。図１および２の先行技術のスラムシャット装置のように、リセットピン３６は、ばね３７の力を受けてリセットピン３６を未解除位置から解除位置に向かって移動させるために、アクチュエータ１５に応答するように配される。
【００２８】
図３に示すように、ばね３７は、先行技術の配列に示されるものと同様に閉位置に向かって弁ディスク４４を推し進めるために、弁ディスク４４に付勢力をかけるように配置される。図示される例では、ばね３７は、弁ディスク支持体４２に当接する。ばね３７は、直接的または間接的のいずれか、任意の好適な様式で弁ディスク４４に動作可能に連結され得る。
【００２９】
図３、５に最もわかりやすく示すように、弁ディスク４４および弁ディスク支持体４２は、接合部４８で接触する。開示される例によれば、回転防止弁ディスクアセンブリ４０は、接合部４８に隣接して互いに係合する１つ以上の突起部および１つ以上の受容領域を含む。突起部および受容領域は、この突起部または複数の突起部が受容領域に隣接して収容された場合に、弁ディスク４４と弁ディスク支持体４２との間で回転を防ぐか、または連続的な回転を防ぐように協働する。図示される例では、回転防止弁ディスクアセンブリ４０は、２つの突起部５０を含むが、弁ディスク支持体４２は、一対の受容領域５２を含む。
【００３０】
図３、４、５に示される例では、突起部５０は、弁ディスク４４によって担持されるが、受容領域は、弁ディスク支持体４２によって担持される。好ましくは、弁ディスク４４は、裏当て板５４を含み、弁ディスク４４は、シールリング５６の形態であり、シールリング５６および裏当て板５４は、既知であるような任意の好適な様式で互いに接合される。図示すように、突起部５０は、突起部が軸Ａに略平行な方向に裏当て板５４の裏面５８から離れて延在するように、裏当て板５４と一体的に形成されるか、またはそれによって別の方法で担持される。
【００３１】
次に図６〜８を参照すると、弁ディスク支持体４２は、より詳細に示される。弁ディスク支持体４２は、拡大部分６０と、弁ディスク４４において対応する開孔６６を介して適合するようにサイズが設定された受容領域６４を有するステム６２とを含む（弁ディスク４４の開孔６６は、図３、９、１０に図示されている）。図示される例では、ステム６２は、ねじ込みナット（図３、４、５に示されるねじ込みナット７１など）を用いて、弁ディスク４４がステム６２に固定されることを可能にするねじ山６８を含む。あるいは、ステム６２は、例えば、取り付けクリップまたは任意の他の好適な取り付け構成を用いて、弁ディスク４４がステム６２に取り付けられることを可能にするように配されてもよい。図示される例では、受容領域５２は、軸Ａに略平行に延在する第１の表面７０と、開示される例では、第１の表面７０に実質的に垂直に配向する端面７２とを含む。図６および８に有利に示すように、表面７０および７２は、受容領域５２が弁ディスク支持体４２の拡大部分６０において略弧状の切り欠きの形態をとるようにサイズが設定され、配される。
【００３２】
次に図９、１０を参照すると、弁ディスク４４によって担持された突起部５０は、内側に面して延在し、円形の弁ディスク４４の弦に横方向に略平行に延在する第１の表面７４と、第２の平面的な端面７６とを含む。さらに、突起部は、湾曲した外面７８を含む。表面７４、７６、７８は、突起部５０が裏当て板５４の裏面５８から延在する略弧状のフィンの形態をとるようにサイズが設定され、配される。
【００３３】
本開示を読むことで、突起部／受容領域が弁ディスク４４と弁ディスク支持体４２との間の回転を防ぐか、または制限するために様々な形状および／または形態をとり得ることを当業者は容易に理解するであろう。
【００３４】
図４、５に示すように組み立てられるとき、突起部５０の表面７４は、受容領域５２の表面７０に隣接して収容されたか、または別の方法でそれと適切に係合するが、突起部５０の表面７６は、受容領域５２の表面７２に隣接して収容されたか、または別の方法でそれと適切に係合する。また、開示される例によれば、表面７８は、ディスク支持体４２の拡大部分６０の略円筒形の外面に対応するようにサイズが設定され、成形される。図３および４を参照すると、突起部５０は、弁ディスク支持体４２が周囲の筐体４６に対して移動するとき、筐体４６内で摺動するようにサイズが設定され、成形される。したがって、弁ディスクアセンブリ４０は、最小限の修正で既存のスラムシャット装置上に改良され得る。例えば、既存のディスク支持体に好適な切り込みを行うことによって既存のディスク支持体内に受容領域５２を形成することができる。
【００３５】
図３をさらに参照すると、弁ディスク支持体４２は、内部部品８０および外部部品８２から形成され得る。図示すように、外部部品８２は、内部部品８０ならびにばね３７の前方部分を受容するようにサイズが設定された内部穴８４を含む。外部部品８２は、ステム６２が受容領域６４上の弁ディスク４４を受容するように配置されるように、内部部品８０が外部部品８２を介して延在することを可能にするようにサイズが設定された穴８３を含む。図示される例では、リセットピン３６は、内部部品８０内に形成されたねじ穴にリセットピンを通し、ロックナットを用いてリセットピン３６を内部部品８０に適切に固定することなどによって内部部品８０に付着される。リセットピン３６を弁ディスク支持体４２および／または内部部品８０に接続する他の形態は、好適と判明することができる。
【００３６】
次に図３、４、５を参照すると、弁ディスク４４は、ロックナット７１の代わりに、ばね荷重アセンブリ７３を用いてディスク支持体４２に取り付けられ得る。ばね荷重アセンブリ７３のさらなる詳細は、同時係属中の同一譲受人に譲渡された米国仮特許出願第６１／７０６，４２９号、代理人整理番号０６００５／５７２６７２Ｐに記載されており、当該出願は、開示全体が参照により本明細書に援用される。
【００３７】
例示的な形態または本明細書に示される形態に従って組み立てて得られるスラムシャット装置は、先行技術の装置に対して以下の利点のうちの１つ以上を有してよい。弁ディスクアセンブリ４０は、本明細書に示される回転防止機能またはこれらの均等物の提供により、ディスク支持体４２に対して弁ディスク４４の回転を防ぎ、および／または制限する。先行技術の取り付け構成は、特定の流れおよび／または圧力条件下で、弁ディスクが軸Ａを中心に回転することを可能にすることができる。このような回転は、ディスク支持体のステムに対する摩耗または他の損傷を引き起こす。したがって、この弁ディスクアセンブリ４０は、ディスク支持体の場所を避け、得られるスラムシャット装置の耐用年数を延長させる。
【００３８】
本発明を例示するために、特定の代表的な実施形態および詳細を示したが、本発明の範囲から逸脱することなく、本明細書に開示される方法および装置の様々な変更が行われ得ることが当業者に明らかであろう。
【図１】
0006336452.tif 000002
【図２】
0006336452.tif 000003
【図３】
0006336452.tif 000004
【図４】
0006336452.tif 000005
【図５】
0006336452.tif 000006
【図６】
0006336452.tif 000007
【図７】
0006336452.tif 000008
【図８】
0006336452.tif 000009
【図９】
0006336452.tif 000010
【図１０】
0006336452.tif 000011